(57)【要約】【課題】残り決済可能回数を可視化することにより適切なタイミングでの充電を促し、電断による決済の中断を抑制できる決済端末、及びプログラムを提供する。【解決手段】決済端末１０は、バッテリの温度の基準値、バッテリの充電履歴の基準値、及びバッテリ残量の基準値に対する残り決済可能回数を予め規定したテーブルを参照して、取得した温度、充電履歴、及びバッテリ残量に対応する残り決済可能回数を決定する。バッテリの充電が必要なタイミングに関する情報として、残り決済可能回数、又は速やかな充電を促す内容を表示する。【選択図】図４
2019159944.tif 000002
【特許請求の範囲】
【請求項１】
充電式のバッテリにより駆動し、金額の決済に関する処理を行う決済端末であって、
前記処理を実行するにあたり前記バッテリのバッテリ残量を取得し、前記バッテリ残量の基準値を予め規定したテーブルを参照して、前記処理を実行するにあたり取得した前記バッテリ残量に対応する、前記処理が可能な残り決済可能回数を決定する制御部と、
前記残り決済可能回数を表示する表示部と、
を備える決済端末。
【請求項２】
前記制御部は、前記処理を実行するにあたり前記バッテリの充電履歴を取得し、前記バッテリの充電履歴の基準値、及び前記バッテリ残量の基準値に対する前記残り決済可能回数を予め規定したテーブルを参照して、前記処理を実行するにあたり取得した前記充電履歴、及び前記バッテリ残量に対応する前記残り決済可能回数を決定する請求項１に記載の決済端末。
【請求項３】
前記制御部は、前記処理を実行するにあたり前記バッテリの温度を取得し、前記バッテリの温度の基準値、及び前記バッテリ残量の基準値に対する前記残り決済可能回数を予め規定したテーブルを参照して、前記処理を実行するにあたり取得した前記温度、及び前記バッテリ残量に対応する前記残り決済可能回数を決定する請求項１に記載の決済端末。
【請求項４】
前記制御部は、前記処理を実行するにあたり前記バッテリの温度、及び前記バッテリの充電履歴を取得し、前記バッテリの温度の基準値、前記バッテリの充電履歴の基準値、及び前記バッテリ残量の基準値に対する前記残り決済可能回数を予め規定したテーブルを参照して、前記処理を実行するにあたり取得した前記温度、前記充電履歴、及び前記バッテリ残量に対応する前記残り決済可能回数を決定する請求項１に記載の決済端末。
【請求項５】
前記充電履歴は、前記バッテリの使用を開始してからの充電された回数である充電回数とする請求項２又は請求項４に記載の決済端末。
【請求項６】
前記バッテリの温度の基準値は、異なる２以上の温度の基準値を含む請求項３又は請求項４に記載の決済端末。
【請求項７】
前記制御部は、前記処理を実行するにあたり取得した前記バッテリ残量が、所定の閾値未満であるかを判断し、
前記表示部は、前記バッテリ残量が閾値未満となった場合に、前記バッテリの充電を促す情報を表示する請求項１〜請求項６の何れか１項に記載の決済端末。
【請求項８】
前記制御部は、前記残り決済可能回数が閾値未満となった場合に、前記決済に関する処理を実行できないように制御する請求項７に記載の決済端末。
【請求項９】
前記表示部は、前記残り決済可能回数を示す表示を、前記バッテリの充電がなされるまで、又は、前記制御部によって次に前記残り決済可能回数が決定されるまで継続する、請求項１〜請求項８の何れか１項に記載の決済端末。
【請求項１０】
コンピュータを、請求項１〜請求項９のいずれか１項に記載の決済端末の各部として機能させるためのプログラム。
【発明の詳細な説明】
【技術分野】
【０００１】
本発明は、決済端末、及びプログラムに係り、特に、上位端末と無線により連動した決済端末で決済するための決済端末、及びプログラムに関する。
【背景技術】
【０００２】
従来より、バッテリにより駆動し、決済に関する処理を行う決済端末がある。バッテリにより駆動する決済端末では、決済に関する処理を行っている最中に電断が発生すると、不具合が発生したり、決済をスムーズに行えない、といった問題が生じる。そのため、従来より、バッテリにより駆動する決済端末において、決済に係る一連のトランザクションを完了できない充電レベルまで使用をすることを防止するため、バッテリ残量が表示されている。また、決済端末では、バッテリ残量に応じて処理の実行可能な範囲を変えることで、決済中に電断が生じないようにする仕組みも考えられている。
【０００３】
例えば、バッテリのバッテリ残量が警告レベルまで低下した際、特定の情報処理を確実に禁止して、電断による特定の情報処理で不具合が発生するのを未然に防止する技術がある（特許文献１参照）。
【先行技術文献】
【特許文献】
【０００４】
【特許文献１】特開２００６−１５７１４７号公報
【発明の概要】
【発明が解決しようとする課題】
【０００５】
もっとも、上記の従来技術のように決済端末内の処理の実行可能な範囲を変える等して決済中の電断を避けるようにしたとしても、最終的には適当なタイミングで充電を行う必要がある。充電のタイミングを知らせるため、バッテリ残量の低下に伴い、充電を促す警告を行う仕組みもある。
【０００６】
しかし、充電を促す警告や、バッテリのバッテリ残量を表示したとしても、決済端末の操作者には「まだ使えるかもしれない」という心理が働いて、警告が出ていても充電しないまま使用を継続して、結局、決済に係る一連のトランザクションを完了できない充電レベルまで使用をしてしまう場合がある。また、作業が多忙な時期であれば充電すること忘れてしまい、適切なタイミングで充電を行えないまま、決済に係る一連のトランザクションを完了できない充電レベルまで使用をしてしまうということも考え得る。
【０００７】
本発明は、上記問題点を解決するために成されたものであり、残り決済可能回数を可視化することにより適切なタイミングでの充電を促し、電断による決済の中断を抑制できる決済端末、及びプログラムを提供することを目的とする。
【課題を解決するための手段】
【０００８】
上記目的を達成するために、本発明に係る決済端末は、充電式のバッテリにより駆動し、金額の決済に関する処理を行う決済端末であって、前記処理を実行するにあたり前記バッテリのバッテリ残量を取得し、前記バッテリ残量の基準値を予め規定したテーブルを参照して、前記処理を実行するにあたり取得した前記バッテリ残量に対応する、前記処理が可能な残り決済可能回数を決定する制御部と、前記残り決済可能回数を表示する表示部と、を備える。
【０００９】
この発明によれば、バッテリ残量を取得して、バッテリ残量の基準値に対する残り決済可能回数を予め規定したテーブルを参照して、決済に関する処理が可能な残り決済可能回数を決定して表示することで、バッテリ残量に応じて、残り決済可能回数を可視化することにより適切なタイミングでの充電を促し、電断による決済の中断を抑制できる。
【００１０】
また、前記決済端末において、前記制御部は、前記処理を実行するにあたり前記バッテリの充電履歴を取得し、前記バッテリの充電履歴の基準値、及び前記バッテリ残量の基準値に対する前記残り決済可能回数を予め規定したテーブルを参照して、前記処理を実行するにあたり取得した前記充電履歴、及び前記バッテリ残量に対応する前記残り決済可能回数を決定するようにしてもよい。
【００１１】
この発明によれば、バッテリ残量、及び充電履歴を取得して、充電履歴の基準値、及びバッテリ残量の基準値に対する残り決済可能回数を予め規定したテーブルを参照して、決済に関する処理が可能な残り決済可能回数を決定して表示することで、バッテリ残量に加えて充電状況に応じて、残り決済可能回数を可視化することにより適切なタイミングでの充電を促し、電断による決済の中断を抑制できる。
【００１２】
また、前記決済端末において、前記制御部は、前記処理を実行するにあたり前記バッテリの温度を取得し、前記バッテリの温度の基準値、及び前記バッテリ残量の基準値に対する前記残り決済可能回数を予め規定したテーブルを参照して、前記処理を実行するにあたり取得した前記温度、及び前記バッテリ残量に対応する前記残り決済可能回数を決定するようにしてもよい。
【００１３】
この発明によれば、バッテリ残量、及び温度を取得して、温度の基準値、及びバッテリ残量の基準値に対する残り決済可能回数を予め規定したテーブルを参照して、決済に関する処理が可能な残り決済可能回数を決定して表示することで、バッテリ残量に加えて使用環境の温度に応じて、残り決済可能回数を可視化することにより適切なタイミングでの充電を促し、電断による決済の中断を抑制できる。
【００１４】
また、前記決済端末において、前記制御部は、前記処理を実行するにあたり前記バッテリの温度、及び前記バッテリの充電履歴を取得し、前記バッテリの温度の基準値、前記バッテリの充電履歴の基準値、及び前記バッテリ残量の基準値に対する前記残り決済可能回数を予め規定したテーブルを参照して、前記処理を実行するにあたり取得した前記温度、前記充電履歴、及び前記バッテリ残量に対応する前記残り決済可能回数を決定するようにしてもよい。
【００１５】
この発明によれば、バッテリ残量、温度、及び充電履歴を取得して、温度の基準値、充電履歴の基準値、及びバッテリ残量の基準値に対する残り決済可能回数を予め規定したテーブルを参照して、決済に関する処理が可能な残り決済可能回数を決定して表示することで、バッテリ残量に加えて使用環境の温度や充電状況といった使用状況に応じて、残り決済可能回数を可視化することにより適切なタイミングでの充電を促し、電断による決済の中断を抑制できる。
【００１６】
また、前記決済端末において、前記バッテリの充電履歴は、前記バッテリの使用を開始してからの充電された回数である充電回数とするようにしてもよい。
【００１７】
この発明によれば、充電履歴として充電回数の基準値に応じて、残り充電可能回数を特定することにより、バッテリの劣化の度合いに応じて残り決済可能回数を決定することで、適切なタイミングでの充電を促すことができるため、電断による決済の中断を抑制できる。
【００１８】
また、前記決済端末において、前記バッテリの温度の基準値は、異なる２以上の温度の基準値を含むようにしてもよい。
【００１９】
この発明によれば、バッテリの温度について設定した異なる２以上の温度の基準値に応じて、残り充電可能回数を特定することにより、使用環境に応じて残り決済可能回数を決定することで、適切なタイミングでの充電を促すことができるため、電断による決済の中断を抑制できる。
【００２０】
また、前記決済端末において、前記制御部は、前記処理を実行するにあたり取得した前記バッテリ残量が、所定の閾値未満であるかを判断し、前記表示部は、前記バッテリ残量が閾値未満となった場合に、前記バッテリの充電を促す情報を表示するようにしてもよい。
【００２１】
この発明によれば、バッテリ残量が閾値未満であるかを判断し、閾値未満の場合に充電を速やかな促すため、決済端末の操作者が現在の充電状況では決済が行えないことを認識できるため、電断による決済の中断を抑制できる。
【００２２】
また、前記決済端末において、前記制御部は、前記バッテリ残量が閾値未満となった場合に、前記決済に関する処理を実行できないように制御するようにしてもよい。
【００２３】
この発明によれば、バッテリ残量が閾値未満である場合に決済の処理を実行できないようにするため、決済端末の操作者が誤って決済を行おうとしたとしても決済を行えないため、電断による決済の中断を抑制できる。
【００２４】
また、本発明のプログラムは、コンピュータを、本発明の決済端末の各部として機能させるためのプログラムである。
【００２５】
この発明によれば、バッテリの状況を監視して決済に関する処理が可能な残り決済可能回数を決定して表示することで、残り決済可能回数を可視化することにより適切なタイミングでの充電を促し、電断による決済の中断を抑制できる。
【発明の効果】
【００２６】
本発明によれば、残り決済可能回数を可視化することにより適切なタイミングでの充電を促し、電断による決済の中断を抑制できる。
【図面の簡単な説明】
【００２７】
【図１】本発明の実施の形態に係る決済処理システムの一例を示す図である。
【図２】本発明の実施の形態に係る決済端末を上にした斜視図である。
【図３】本発明の実施の形態に係る決済端末を下にした斜視図である。
【図４】本発明の実施の形態に係る決済端末の構成を示すブロック図である。
【図５】本発明の実施の形態に係るバッテリ監視部の構成を示すブロック図である。
【図６】本発明の実施の形態に係る記憶部の構成を示すブロック図である。
【図７】バッテリテーブルの一例を示す図である。
【図８】バッテリの充電が必要なタイミングに関する情報の一例を示す図である。
【図９】本発明の実施の形態に係る決済端末の監視処理のフローチャートを示す図である。
【発明を実施するための形態】
【００２８】
以下、図面を参照して本発明の実施の形態を詳細に説明する。
【００２９】
まず、本発明の実施の形態の概要を説明する。
【００３０】
本発明の実施の形態では、「少なくとも、ある所定の回数までは決済処理を行ってもよいが、所定の回数だけ決済を行った後は充電することを勧める」という、決済端末における残り決済可能回数の見える化（可視化）をすることを提案する。残り決済可能回数を可視化した上で、充電の指示が出せれば、前述した、決済に係る一連のトランザクションを完了できない充電レベルまで使用をしてしまうという問題の発生を抑制できると考えられる。また、充電の指示における決済処理を許容しうる決済可能回数が厳密に正確なものでなくても、少なくとも決済処理中に電源が落ちない程度のバッテリ残量において、決済可能回数の指示が出せれば、電断により決済処理の情報等が喪失する、といった大きな問題は発生しないと考えられる。
【００３１】
本発明の実施の形態では、下記のバッテリ状況の各条件についての基準値の組み合わせに対する残り決済可能回数を規定したテーブルを持ち、テーブルに合致する所定のバッテリ状況になった場合に、決済可能回数を報知し、充電処理を促す。本発明の実施の形態では、残り決済可能回数の最終５回分をテーブルとして持つ。
【００３２】
・バッテリの温度
・バッテリの充電履歴（充電回数）
・バッテリのバッテリ残量
【００３３】
例えば、テーブルに対応するバッテリ状況の基準値に応じて「あと〇回」といったアナウンスを表示する。また、テーブルに対応するバッテリ残量の基準値を下回った場合に、速やかな充電を促し、決済処理などの動作をできないように制御する。なお、充電回数は、バッテリの使用を開始してからの充電された回数である。また、バッテリの充電回数の基準値、及びバッテリの温度の基準値に応じた最終５回分の決済可能な状態の電池容量に対するバッテリ残量の基準値は、予め実験等をして定めておくものとする。
【００３４】
＜本発明の実施の形態＞
本発明の実施の形態に係る決済処理システムの構成について説明する。図１に示すように、本発明の実施の形態に係る決済処理システム１００は、機能的には図１に示すように、決済端末１０がＬＴＥなどの無線通信によりインターネット等のネットワーク３を介してセンター１６と接続される。ネットワーク３には、Ｗｉ−Ｆｉ（登録商標）やＢｌｕｅｔｏｏｔｈ（登録商標）といった店舗内のルータを介して接続してもよい。また、図示しないが、決済端末１０は、無線通信により上位端末と接続されている。上位端末は、クレジットやデビッドの売上、取消といった業務内容の選択や、顧客の購入商品の金額等の取引内容を入力するＰＯＳ端末等の装置である。
【００３５】
決済端末１０は、充電式のバッテリにより駆動し、決済に関する処理を行う装置である。また、決済端末１０においては、バッテリの充電の監視が行われる。なお、本実施の形態では、決済に関する処理について具体的な態様についての説明は省略するが、決済端末１０は、決済に関する処理として、例えば、クレジットカードやデビットカード、電子マネーに対応したＩＣカードなどのカード情報を読み取って決済に関する決済情報を取得する。また、センター１６と通信し、決済情報を元に決済を実行する。また、決済された伝票の印字を行う。
【００３６】
センター１６は、決済端末１０から決済要求を受け付け、決済を実行するサーバ装置である。センター１６の具体的な態様についての説明は省略するが、センター１６は、例えば、ＩＤやパスワード等を用いて決済端末１０を認証したり、決済端末１０から受信したカード情報に基づいて、クレジットカード会社等のサーバ装置と接続してクレジットカードによる決済処理を実行する。
【００３７】
図２及び図３に、本実施の形態における決済端末１０の外観図の一例を示す。図２は決済端末１０の表示部２４を上にした斜視図であり、図３は、決済端末１０の表示部２４を下にした斜視図である。図２に示すように、決済端末１０は、表示部２４を備える。図３に示すように、決済端末１０は、ＡＣアダプタ接続部２６と、バッテリ３０とを備える。
【００３８】
図４は、本実施の形態における決済端末１０の構成を示すブロック図である。図４に示すように、決済端末１０は、ＣＰＵ（Central Processing Unit）２０と、入力部２２と、表示部２４と、ＡＣアダプタ接続部２６と、電源部２８と、バッテリ３０と、記憶部３４と、バッテリ監視部３６と、通信部３８と、カメラ部４０と、印字部４２と、スピーカ部４４と、決済部４６とを含んで構成される。なお、ＣＰＵ２０又はバッテリ監視部３６が制御部の一例であり、以下の説明ではバッテリ監視部３６が制御部の処理を担うものとして説明する。
【００３９】
ＣＰＵ２０は、決済端末１０全体を制御する。入力部２２は、数字や記号を表すボタンなどを入力するキーパッドである。表示部２４は、ＬＣＤであり、種々の情報を表示する。また、表示部２４はタッチパネルとして機能する。表示部２４が表示する情報は、バッテリの充電に関する情報であれば、例えば、バッテリの残り決済可能回数や、バッテリの充電を促す表示などである。ＡＣアダプタ接続部２６は、外部の電源を供給するＡＣアダプタ１２と接続し、電源部２８に電源を供給する。電源部２８は、ＡＣアダプタ接続部２６を介してＡＣアダプタ１２からの給電を受け、バッテリ３０を充電する電源回路である。バッテリ３０は、充電式の電源供給が可能なバッテリである。記憶部３４は、決済に関するデータや、バッテリ３０の充電回数、バッテリ残量監視のためのバッテリテーブルを記憶する不揮発性のメモリである。バッテリテーブルの詳細は後述する。バッテリ監視部３６は、測定したバッテリ３０の温度、記録したバッテリ３０の充電履歴、及びバッテリ３０のバッテリ残量に基づいて、バッテリ状況を監視し、決済に関する処理が可能な残り決済可能回数を決定する。決済に関する処理に対するバッテリ状況の監視の詳細は後述する。通信部３８は、Ｗｉ−Ｆｉ等の無線通信により、上位端末やセンター１６と通信する。カメラ部４０は、バーコードなどを撮影するカメラである。印字部４２は、購入商品に係る伝票を印字するプリンタである。スピーカ部４４は、通知などの音やアナウンスなどの音声を出力するスピーカである。決済部４６は、磁気、接触ＩＣ、非接触ＩＣの各種カードの読み取り機能を持ち、カード暗証番号の入力など決済に関する処理行うＰＩＮＰＡＤである。決済部４６は図示しないが、必要に応じて取り外して利用可能な構成となっており、取得したカード情報等の機密情報を暗号化して送受信が可能である。決済端末１４において、決済に係る一連のトランザクションにおける消費電力は大きいため、本発明の実施の形態における手法によってバッテリ状況の監視を行う必要性が生じてくる。
【００４０】
次に、バッテリ監視部３６の詳細な構成について説明する。図５に示すように、バッテリ監視部３６は、充電回路３６Ａと、残量監視回路３６Ｂと、サーミスタ３６Ｃとを含んで構成される。充電回路３６Ａは、電源部２８からバッテリ３０への充電の制御を行い、う。残量監視回路３６Ｂは、電源部２８からバッテリ３０への充電状況を監視し、バッテリの充電履歴として充電回数をカウントして記憶部３４に記録する。また、残量監視回路３６Ｂは、サーミスタ３６Ｃで測定されたバッテリ３０の温度を検出する。また、バッテリ３０の電圧からバッテリ３０のバッテリ残量を測定する。また、残量監視回路３６Ｂは、後述するバッテリテーブルを参照して、決済に関する処理に対するバッテリ状況を監視する。サーミスタ３６Ｃは、バッテリ３０の温度を測定するための検出器である。
【００４１】
次に、記憶部３４の構成について説明する。図６に示すように、記憶部３４は、充電回数格納部３４Ａと、バッテリテーブル格納部３４Ｂと、データ格納部３４Ｃとを含んで構成されている。充電回数格納部３４Ａには、充電回路３６Ａにより記録されたバッテリ３０の充電回数が格納される。バッテリテーブル格納部３４Ｂには、バッテリ残量監視のためのバッテリテーブルが格納される。データ格納部３４Ｃには、決済に関する種々のデータが格納される。
【００４２】
バッテリテーブル格納部３４Ｂに格納されているバッテリテーブルを図７に示す。バッテリテーブルには、バッテリの温度の基準値、充電回数の基準値、及びバッテリ残量の基準値に対する残り決済可能回数が格納されている。例えば、温度の基準値としては１０℃以上時、及び１０℃未満時がある。また、充電回数の基準値としては、１〜１９９回、２００〜３９９回、４００〜５９９回、６００〜７９９回、及び８００回超がある。また、バッテリ残量の基準値としては、温度の基準値、及び充電回数の基準値の組み合わせに対して、残り決済可能回数に応じたバッテリ残量の基準値がＢ１〜Ｂ５の範囲で定められている。Ｂ５は残り決済可能回数が５回に相当し、Ｂ１は残り決済可能回数が１回に相当する。例えば、バッテリ残量の基準値Ｂ５については、温度が１０℃以上時に、充電回数が、１〜１９９回で１５％、２００〜３９９回で２０％、４００〜５９９回で２５％、６００〜７９９回で３０％、８００回超で３５％と定められている。また、バッテリ残量の基準値Ｂ１〜Ｂ５の範囲は、１決済あたりのバッテリの消耗量を２％とし、２％ごとの区切りで定められている。バッテリテーブルのこれらの各基準値を参照して、バッテリ状況に対する残り決済可能回数を決定することができる。
【００４３】
バッテリ監視部３６は、測定したバッテリ３０の温度、記録したバッテリ３０の充電回数、及び測定したバッテリ３０のバッテリ残量について、バッテリテーブルの各基準値を参照して、残り決済可能回数を決定する。また、バッテリ残量がＢ５以上であれば残り決済可能回数を表示する段階にない程度に充電がある状況と判定する。Ｂ５〜Ｂ１に該当するバッテリ残量である場合には、あと何回決済が可能であるかを表示部２４に表示する。例えば、残り決済可能回数が５回であれば、図８（Ａ）に示すように、「あと５回決済したら充電が必要です！」といった残り決済可能回数を提示する内容を表示部２４に表示する。また、バッテリ残量がＢ１未満であれば、図８（Ｂ）に示すように、「！充電してください！」といった速やかな充電を促す内容を表示部２４に表示する。また、このような決済回数や充電を促す表示は、バッテリ監視部３６により残り決済可能回数を決定した際、決定した情報を元に表示されるものであるが、その後、充電が行われるまで、又は、次にバッテリ監視部３６が残り決済可能回数を決定するまで、決済端末の表示部２４のどこかの表示箇所に決定した情報の内容を示唆可能な表示を継続させるようにしてもよい。
例えば、バッテリ監視部３６が、残り決済可能回数が５回であると決定し、画面中央に図８（Ａ）のような表示がされる。その後、決済処理等を行うために画面表示が変更される際、上端に赤字で小さく「あと５回！」といった表示を継続させる、又は、あと５回であることを示唆するマークの表示を継続させる、等してもよい。このようにすることで、決済端末１４における残り決済可能回数の見える化をより強く推進することができる。なお、Ｂ１に規定されたバッテリ残量が閾値の一例である。
【００４４】
次に、図７に示すバッテリテーブルを用いたバッテリ残量監視の例を説明する。なお、バッテリ残量ｂがバッテリ残量の基準値Ｂ５〜Ｂ１のいずれに該当するかは、Ｂｎ＝Ｂ５〜Ｂ２についてはＢｎ≧ｂ＞Ｂｎ−１の範囲にｂがある場合にＢｎと特定する。Ｂｎ＝Ｂ１の場合についてはＢ１＝ｂでＢ１と特定し、Ｂ１未満は速やかな充電が必要なものと特定する。
【００４５】
例えば、バッテリ３０の温度が１２℃である場合には、（１）１０℃以上時のバッテリテーブルを用いる。（１）のテーブルでは、例えば、バッテリ３０の充電回数が１５０回、バッテリ３０のバッテリ残量ｂが１４％である場合には、充電回数１〜１９９回で、バッテリ残量ｂがＢ５≧ｂ＞Ｂ４に該当し、残り決済可能回数を５と特定する。また、バッテリ３０の充電回数が５００回、バッテリ３０のバッテリ残量ｂが２１％である場合には、充電回数４００〜５９９回で、バッテリ残量ｂがＢ３≧ｂ＞Ｂ２に該当し、残り決済可能回数を３と特定する。また、バッテリ３０の充電回数が８５０回、バッテリ３０のバッテリ残量ｂが２７％である場合には、充電回数８００回超で、バッテリ残量ｂがＢ１＝ｂに該当し、残り決済可能回数を１と特定する。また、充電回数が５００回、バッテリ残量ｂが３０％である場合には、バッテリテーブルのＢ５より大きいため、バッテリ残量に余裕があるものと特定する。また、充電回数が５００回、バッテリ残量ｂが１３％である場合には、Ｂ１＝１７％未満であるため、すぐに充電が必要なものと特定する。
【００４６】
また、バッテリ３０の温度が８℃である場合には、（２）１０℃未満時のバッテリテーブルを用いる。（２）のテーブルでは、例えば、バッテリ３０の充電回数が１５０回、バッテリ３０のバッテリ残量ｂが１９％である場合には、充電回数１〜１９９回で、バッテリ残量ｂがＢ５≧ｂ＞Ｂ４に該当し、残り決済可能回数を５と特定する。また、バッテリ３０の充電回数が５００回、バッテリ３０のバッテリ残量ｂが２６％である場合には、充電回数４００〜５９９回で、バッテリ残量ｂがＢ３≧ｂ＞Ｂ２に該当し、残り決済可能回数を３と特定する。また、バッテリ３０の充電回数が８５０回、バッテリ３０のバッテリ残量ｂが３２％である場合には、充電回数８００回超で、バッテリ残量ｂがＢ１＝ｂに該当し、残り決済可能回数を１と特定する。また、充電回数が５００回、バッテリ残量ｂが３３％である場合には、バッテリテーブルのＢ５より大きいため、バッテリ残量に余裕があるものと特定する。また、充電回数が５００回、バッテリ残量ｂが１８％である場合には、Ｂ１＝２２％未満であるため、すぐに充電が必要なものと特定する。
【００４７】
次に、本発明の実施の形態の決済端末１０の決済に関する処理に対するバッテリ状況の監視処理の処理フローについて図９を参照して説明する。決済端末１０は電源がＯＮになると、図９に示す監視処理を実行し、電源がＯＦＦになるまで監視処理を継続する。なお、以下の監視処理は、バッテリ３０による電池駆動状態時のみの処理であり、ＡＣアダプタ１２を接続して駆動している時は処理しないものとする。
【００４８】
まず、ステップＳ１００で、バッテリ監視部３６は、バッテリ３０の温度を測定し、記憶部３４に記憶されている充電回数を読み出し、バッテリ３０のバッテリ残量ｂを測定する。そして、温度の測定値、充電回数、及びバッテリ残量ｂの測定値に対する、記憶部３４に記憶されているバッテリテーブルの各基準値を参照する。
【００４９】
ステップＳ１０２で、バッテリ監視部３６は、バッテリテーブルの各基準値の参照結果に基づいて、バッテリ残量ｂが、ｂ≧Ｂ１であるかを判定し、ｂ≧Ｂ１であればステップＳ１０４へ移行し、ｂ≧Ｂ１でなければステップＳ１１８へ移行する。
【００５０】
ステップＳ１０４で、バッテリ監視部３６は、決済端末１０が操作されたかを判定し、操作された場合にはステップＳ１０６へ移行し、操作されていなければ操作待ちの状態として、操作されたかの判定を繰り返し、操作を受け付けるのを待つ。
【００５１】
ステップＳ１０６で、バッテリ監視部３６は、受け付けた操作が決済処理であるかを判定し、決済処理であればステップＳ１１０へ移行し、決済以外の処理であればステップＳ１０８へ移行する。
【００５２】
ステップＳ１０８で、決済端末１０は、決済以外の処理を実行し、ステップＳ１００に戻る。決済以外の処理とは、例えば、決済端末１０に記録されているＩＤの確認や充電回数の確認などである。
【００５３】
ステップＳ１１０で、バッテリ監視部３６は、バッテリ３０の温度を測定し、記憶部３４に記憶されている充電回数を読み出し、バッテリ３０のバッテリ残量ｂを測定する。そして、温度の測定値、充電回数、及びバッテリ残量ｂの測定値に対する、記憶部３４に記憶されているバッテリテーブルの各基準値を参照する。
【００５４】
ステップＳ１１２で、バッテリ監視部３６は、バッテリテーブルの各基準値の参照結果に基づいて、バッテリ残量ｂが、ｂ＞Ｂ５、Ｂ５≧ｂ≧Ｂ１、ｂ＜Ｂ１のいずれの状態であるかを判定する、ｂ＞Ｂ５であればステップＳ１１４へ移行する。Ｂ５≧ｂ≧Ｂ１であればステップＳ１１６へ移行する。ｂ＜Ｂ１であればステップＳ１１８へ移行する。
【００５５】
ステップＳ１１４で、決済端末１０は、決済処理を実行し、ステップＳ１０４へ移行する。
【００５６】
ステップＳ１１６で、バッテリ監視部３６は、バッテリテーブルの各基準値の参照結果に基づいて、あと何回決済が可能であるか残り決済可能回数を表示部２４に表示する。
【００５７】
ステップＳ１１８で、バッテリ監視部３６は、速やかな充電を促す内容を表示部２４に表示し、決済処理を実行できないように制御すると共に監視処理を終了する。
【００５８】
以上説明したように、本発明の実施の形態に係る決済端末によれば、バッテリの温度の基準値、バッテリの充電履歴の基準値、及びバッテリ残量の基準値に対する残り決済可能回数を予め規定したテーブルを参照して、取得した温度、充電履歴、及びバッテリ残量に対応する残り決済可能回数を決定する。これにより、使用環境やバッテリの劣化度合いといったバッテリの使用状況に応じて残り決済可能回数を決定することができる。また残り決済可能回数を表示するか、バッテリ残量が閾値未満の場合には速やかな充電を促す内容を表示する。このように残り決済可能回数を可視化することにより適切なタイミングで充電を促すことができるため、電断による決済の中断を抑制できる。
【００５９】
なお、本発明は、上述した実施の形態に限定されるものではなく、この発明の要旨を逸脱しない範囲内で様々な変形や応用が可能である。
【００６０】
例えば、上述した実施の形態では、残り決済可能回数を５回からとする場合を例に説明したが、これに限定されるものではなく、４回や６回、１０回などバッテリ残量が少なくなってきた状況に応じた任意の残り決済可能回数にしてもよい。
【００６１】
また、上述した実施の形態では、残り決済可能回数を表示する場合を例に説明したが、これに限定されるものではなく、残り決済可能回数の表示と共に、アラート音を報知したり、表示内容を音声により報知するようにしてもよい。
【００６２】
また、上述した実施の形態では、決済端末は、充電履歴として充電回数を使用する場合を例に説明したが、これに限定されるものではない。例えば充電履歴として、バッテリの電圧の推移を監視し、電圧の推移から推定可能な劣化度合いを充電履歴として使用するようにしてもよい。
【００６３】
また、上述した実施の形態では、バッテリテーブルのバッテリ残量の基準値は、１決済あたりのバッテリの消耗量を２％とする基準を元にＢ５〜Ｂ１を規定していたが、これに限定されるものではない。例えば、充電回数が大きくなった場合には、３％以上の区切りにしてＢ５〜Ｂ１の基準値を定めるようにしてもよい。
【００６４】
また、上述した実施の形態では、決済端末は、バッテリの温度の基準値として、１０℃以上時と１０℃未満時との２つの基準値を用いる場合を例に説明したが、これに限定されるものではない。例えば、５℃未満時、１０℃未満時、及び１０度以上時といった３つ以上に細分化した温度の基準値を用いるようにしてもよい。
【００６５】
また、上述した実施の形態では、決済端末は、残り決済可能回数を一意に特定して表示する場合を例に説明したがこれに限定されるものではない。例えば、残り決済可能回数を一意に明示的に表示するのではなく、数回、１〜２回、５〜６回などある程度幅を持たせて残り決済可能回数を決定して、ある程度幅を持たせた残り決済可能回数を表示するようにしてもよい。また、残り決済可能回数の表示に加えて、「もう少しで充電が必要です」、「この決済が終わったら充電しましょう！」といったファジーな表現により決済に関する処理に対するバッテリ残量の目安を提示するようにしてもよい。これにより、操作者はあとどのくらい決済をして充電が必要であるかを段階的に認識することができる。
【００６６】
なお、上述した実施の形態では、バッテリの温度の基準値、バッテリの充電履歴の基準値、及びバッテリ残量の基準値に対する残り決済可能回数を予め規定したバッテリテーブルを参照して、取得した温度、充電履歴、及びバッテリ残量に対応する残り決済可能回数を決定する例を示した。しかし、バッテリ残量と充電履歴、バッテリ残量と温度、バッテリ残量のみ、のように、１種類もしくは２種類の基準値に対応したバッテリテーブルを用意することで、バッテリ残量、充電履歴、温度の全３種類の値を使用することはせずに、残り決済可能回数を決定するようにしてもよい。
【００６７】
例えば、使用環境が常に温暖な場所であれば、図７（１）の１０℃以上の時のバッテリテーブルのみを所有し、バッテリ残量と充電回数のみで、残り決済可能回数を決定するようにしてもよい。
【００６８】
また例えば、充電回数が不明の装置の場合には、安全を見越して充電回数が多い状態を想定する。例えば、図７の充電回数が一番多い時（充電回数８００回以上）のバッテリ残量の基準値を温度毎に記憶したバッテリテーブル（図示省略）を用意し、このバッテリテーブルを用いて温度とバッテリ残量に応じて残り決済可能回数を決定するようにしてもよい。
【００６９】
また例えば、バッテリ残量しかわからない決済端末の場合には、図７における一番厳しい条件（（２）の１０℃未満時の、充電回数８００回以上）のみのバッテリ残量の基準値のバッテリテーブルを記憶しておき、この条件を用いて、バッテリ残量に応じて残り決済可能回数を決定するようにしてもよい。
【００７０】
このようにすることで、温度、充電履歴、及びバッテリ残量の全情報が入手できない決済端末であっても、少なくともバッテリ残量を入手することで、（実際にはもう少し多い回数、決済は可能かもしれないが）決済に係る一連のトランザクションを完了できない充電レベルまで使用をしてしまうという問題の発生を抑制できる。
【符号の説明】
【００７１】
３     ネットワーク
１０   決済端末
１２   ＡＣアダプタ
１６   センター
２２   入力部
２４   表示部
２６   アダプタ接続部
２８   電源部
３０   バッテリ
３４   記憶部
３６   バッテリ監視部
３８   通信部
４０   カメラ部
４２   印字部
４４   スピーカ部
４６   決済部
１００ 決済処理システム
【図１】
2019159944.tif 000003
【図２】
2019159944.tif 000004
【図３】
2019159944.tif 000005
【図４】
2019159944.tif 000006
【図５】
2019159944.tif 000007
【図６】
2019159944.tif 000008
【図７】
2019159944.tif 000009
【図８】
2019159944.tif 000010
【図９】
2019159944.tif 000011